(57)【特許請求の範囲】
【請求項１】
ラットなどの実験済み放射性汚染動物に８〜１５ミクロン前後の波帯域の遠赤外線を放射し、装置の脱水・乾燥能力に基づいて放射性汚染動物の脱水・乾燥処理を行なう装置において、
体液や血液あるいは糞尿などの飛散を防止すべく、放射性汚染動物はドライパックに収納されると共に、ステンレス製網状かごに挿入されて載置台に設置され、
乾燥室の天井側からは上記載置台の垂直となるように、中央部分と左右部の遠赤外線放射体が配置され、
制御手段に統括される各手段は装置の脱水・乾燥能力に基づいて、処理する放射性汚染動物の重量別に脱水・乾燥の目標値をシーケンス・プログラムとして作成し、このシーケンス・プログラムをメモリ手段の第１記憶部に処理操作マニアルとしてパターン別のパターン番号として記憶し、
脱水・乾燥の作動開始により脱水・乾燥の経過時間をカウント手段を介してカウントし、脱水・乾燥動作は連続して脱水・乾燥動作が終了されたかを制御手段により判断すると共に、脱水・乾燥動作は一時停止がなされたかを制御手段により判断し、
脱水・乾燥途中における一時停止がなされた場合には、カウント手段における脱水・乾燥の経過時間に基づいて残存シーケンス・プログラムを演算手段により演算し、メモリ手段の第２記憶部に残存シーケンス・プログラムを随時記憶すると共に、再作動が開始されると制御手段からの指令によりメモリ手段の第２記憶部に記憶された残存シーケンス・プログラムに基づいて脱水・乾燥処理を再び継続することを特徴とする汚染動物の脱水・乾燥装置。
【発明の詳細な説明】
【０００１】
【産業上の利用分野】
この発明は、特に装置を断続的に作動させる場合でも、高精度な脱水・乾燥処理を容易に行なうことができる汚染動物の脱水・乾燥装置に関するものである，
【０００２】
【従来の技術】
近年、ラットなど実験に用いられた汚染動物の脱水・乾燥装置としては、マイクロ加熱乾燥方式や真空凍結乾燥方式などよりも遠赤外線放射方式によるものが主流となりつつある。
【０００３】
これは、マイクロ波による加熱乾燥方式では、被処理物中に金属片やピンなどが混入していると、焦げた状態となり効率のよい乾燥処理が行なえず、さらに悪臭がひどいなどの問題を有している。また、真空凍結乾燥方式では、乾燥処理時間が例えば２キログラム程度のものでも約１週間から１ヶ月と長くかかり、さらにロータリー真空ポンプのオイルなどに二次汚染物が発生するなどの問題を有しているためである。
【０００４】
このため、汚染動物の体内に深違する波帯域の遠赤外線（８〜１５ミクロン前後の波帯域の遠赤外線）を放射し、効率よく脱水・乾燥処理を行なう、いわゆる遠赤外線放射方式のものが主流となりつつある。
【０００５】
【発明が解決しようとする課題】
しかして、特に実験などに供された放射性汚染動物の脱水・乾燥処理にあっては、厳しい規定が伴うため、上記した遠赤外線放射方式のものが適当とされてきている。
【０００６】
また、脱水・乾燥処理に際しては、初期重量の杓７０％の脱水・乾燥が目標値とされおり、装置自体も稼動開始と同時に目標値の脱水・乾燥処理を行なうよう指令が働き、目標値の脱水・乾燥へ向けて各種の制御をシーケンス的に行ないつつ作動して行くように構成されている。
【０００７】
しかしながら、日標値の脱水・乾燥を達成するまでには、必ずしも装置を始動してから連続運転して作動させる場合だけでなく、断続的に装置を作動させる場合、すなわち装置の作動途中で脱水・乾燥処理を一時停止したい場合もある。
【０００８】
このような場合には、一時停止後の再作動の際には、例えば装置が予め与えられている初期重量の約７０％の脱水・乾燥を目標値として再作動すると、被処理物は必要以上に脱水・乾燥されてしまい、黒焦げの状態どなってしまうなどの不具合があり、装置をどのような条件下で脱水・乾燥処理を行なわせるかが難しい問題となっている。
【０００９】
このように、特に放射性汚染動物の脱水・乾燥に際しては、悪臭の漏れ周囲への二次汚染などの防止を図りつつ、効率よく高精度な目標値の脱水・乾燥を行なえるものが要請されている。
【００１０】
この発明は、上記のような事情に鑑みてなされたものであり、その目的とするところは、特に放射性汚染動物に対する高精度な脱水・乾燥処理を容易に行なうことができる汚染動物の脱水・乾燥装置を提供することにある。
【００１１】
【課題を解決するための手段】
この発明は、上記のような目的を達成するために、請求項１記載のように、ラットなどの実験済み放射性汚染動物に８〜１５ミクロン前後の波帯域の遠赤外線を放射し、装置の脱水・乾燥能力に基づいて放射性汚染動物の脱水・乾燥処理を行なう装置において、
体液や血液あるいは糞尿などの飛散を防止すべく、放射性汚染動物はドライパックに収納されると共に、ステンレス製網状かごに挿入されて載置台に設置され、
乾燥室の天井側からは上記載置台の垂直となるように、中央部分と左右部の遠赤外線放射体が配置され、
制御手段に統括される各手段は装置の脱水・乾燥能力に基づいて、処理する放射性汚染動物の重量別に脱水・乾燥の目標値をシーケンス・プログラムとして作成し、このシーケンス・プログラムをメモリ手段の第１記憶部に処理操作マニアルとしてパターン別のパターン番号として記憶し、
脱水・乾燥の作動開始により脱水・乾燥の経過時間をカウント手段を介してカウントし、脱水・乾燥動作は連続して脱水・乾燥動作が終了されたかを制御手段により判断すると共に、脱水・乾燥動作は一時停止がなされたかを制御手段により判断し、
脱水・乾燥途中における一時停止がなされた場合には、カウント手段における脱水・乾燥の経過時間に基づいて残存シーケンス・プログラムを演算手段により演算し、メモリ手段の第２記憶部に残存シーケンス・プログラムを随時記憶すると共に、再作動が開始されると制御手段からの指令によりメモリ手段の第２記憶部に記憶された残存シーケンス・プログラムに基づいて脱水・乾燥処理を再び継続することを特徴とする。
【００１５】
【作用】
この発明によれば、メモリ手段における第１記憶部のシーケンス・プログラムに基づいて装置を始動から連続運転して作動させるとともに、脱水・乾燥途中において一時停止がなされた場合でも、メモリ手段における第２記憶部の残存シーケンス・プログラムに基づいて装置の再作動を行い、脱水・乾焼に対する目標植の達成が行われる。
【００１６】
【実施例】
以下、この発明の実施例を図面に基づき詳細に説明する，図１はこの発明に係る脱水・乾燥装置の概略構成図であり、同図における１は乾燥室で、ラットなど実験済みの放射性同位元素（Ｒｌ）で汚染された動物を収納し、これらの脱水・乾燥処理を行なう。
【００１７】
この乾燥室１には、開閉可能な扉２が設けられており、天井側には遠赤外線放射体３が取付けられている（図２参照）。
【００１８】
遠赤外線放射体３は、床面側に配置されている載置台４に向けて効率よく遠赤外線の放射が行なえるように、例えば載置台４に平行に対向する中央部分と傾斜する左右分とによって形成し、３方向から載置合４に向けて遠赤外線の放射を行なうように構成する，
【００１９】
格子状に形成された載置台４の下部側にはヒータ５が設けられており、脱水・乾燥処理を行なう放射性汚染動物の乾燥を促進する。また、この乾燥室１内には図示しないが、シーケンス用の制御手段（図３参照）に接続する温度センサが設けられている。
【００２０】
放射性汚染動物は、ドライパック９に収納された上でステンレス製の網状かご１０に挿入され、乾燥台２上に載置されて脱水・乾燥処理されるため、滲み出る体液や血液あるいは糞尿などは乾燥室１内に滞留することがない。また、ドライパック９に収納したまま被処理物を直接手に触れずに廃棄することができるので、操作勝手がよい。
【００２１】
５は熱交換器であり、適当間隔を隔てて上下方向に連続するパイプ６１・・・と気液分離を図る空間部６２とにより形成され、熱交換器６の始瑞側と終端側からは循環路２０，２１が引出され、この循環路２０，２１は冷凍機７の冷媒により冷却される熱交換機８に接続されている。
【００２２】
パイプ６１・・・と循墳路２０，２１にはクーラントが循環されて熱交換機６を冷却し、乾燥室１から排気路３０，３１を介して排気された冷却気体分を気液分離し、分離された凝縮水は排水路６３より開閉弁６５を有する排水路６４を介して廃棄処分される。
【００２３】
凝縮水が分離された後の冷却気体分は、排水槽６の空間都から排気路３２へ送気される。この排気路３２は、外部への放出路３３と乾燥室１内への通流路３４とに分岐され、還流路３４は扉２内を挿通し扉２を冷却した後に乾燥室１内へと連通される。なお、還流路３４は扉２内を挿通せず直接乾燥室１内へ連通させてもよい。
【００２４】
放出路３３の開閉弁３５を、脱水・乾燥時に閉状態とした場合には、乾燥室１内から排気される蒸発気体分を熱交換器６へ排気して気液分離し、その後の冷却気体分を排気路３２から還流路３４を介して乾操室１へ戻す閉ループの循環系を形成する。
【００２５】
また、この開開弁３５を開扉時に開状態とした場合には、気液分離の気体分は排気路３２から外部へ放出される開ループの循環系を形成し、これにより乾燥室１内の蒸発気体分を乾燥室１内より吸引し、開扉に伴い蒸発気体分が外部へ散逸するのを防止する。なお、２２はポンブであり、３６はブロアである。
【００２６】
次に、装置のシーケンス動作について説明する、図示は省略をするが、装置の脱水・乾燥能力に基づいて処理する放射性汚染動物の重量別に、脱水・乾燥の目標植、例えば初期重量の７０％を達成するシーケンス・プログラムを作成し、これをパターン別に表示してなる処理操作マニアルを準備する。
【００２７】
図３に示すように、制御手段１００は後述する装置の各手段を統括する。また、１０１は作動開始により経過時間をカウントするカウント手段，１０２は処理操作マニアルにおけるパターン番号などの指令を入力する入力手段，１０３はメモリ手段１０４を構成する第１記憶部であっで、処理操作マニアルにおけるパターン別のシーケンス・プログラムを記憶する。
【００２８】
１０６は脱水・乾燥途中における一時停止がなされた場合に、カウント手段１０１における経過時間に基づいて残存シーケンス・プログラムを演算する演算手段、１０５はメモリ手段１０４を構成する第２記憶部であって、演算手段１０６により演算された残存シーケンス・プログラムを随時記憶する。
【００２９】
まず、図示しないがスイッチがオンされて装置が作動開始状態とされると、脱水・乾燥処理の目標値を達成すべく放射性汚染動物の主に重量に基づいて、処理操作マニアルより該当するバターン番号を選択する。
【００３０】
そして、このパターン番号を入力手段１０２を介してインプットすれば、制御手段１００の指令により第１記憶部１０４のシーケンス・プログラムに基づき、装置は目標値を達成すべく脱水・乾燥処理の自動制御動作を連続して行なう。
【００３１】
また、作動の一時停止を行った場合には、第２記憶部１０５に演算された残存シーケンス・プログラムが随時記憶され。そして、再作動が開始されると制御手段１００の指令により第２記憶部１０５における残存シーケンス・プログラムに基づき、装置は目標値を達成すべく残りの脱水・乾燥処理の自動制御動作を継続する。
【００３２】
脱水・乾燥処理の動作中には、冷凍機７，熱交換機８により熱交換機６の各パイプ６１・・・が冷却され、また遠赤外線放射体４からは８〜１５ミクロン前後の遠赤外線が乾燥台４に向けて放射され、かつ乾燥台４はヒータ６により加熱される。
【００３３】
また、乾燥室１内の蒸発気体分は排気路３０，３１より熱交換機６へと排気され、乾燥室１内は負圧とされる。熱交換機６で気液分離された後の冷却気体分は排気路３２を介して装置の外部へと送流されるのであるが、動作中に放出路３３を開開弁３５によって閉状態とした場合には、装置は閉ループの循環系とされ冷却気体分は還流路３４へ向かうこととなる。
【００３４】
この場合には、冷却気体分は扉２を冷却しつつあるいは直接的に乾燥室１内に戻され、循環再活用される。また、排気路３２のブロア３６が作動し、かつ放出路３３の開閉弁３５が開状態とされた場合には、装置は開ループの循環系となり、乾燥室１内の蒸発気体分は外部への放出路３３へと吸引され、開扉時においても蒸発気体分が外部に流出し散逸することはない。
【００３５】
これら一連の動作は、温度センサ３からの検出値などに基づいてシーケンス制御手段１００により自動制御されつつ行われる。
【００３６】
なお、処理操作マニアルとメモリ手段１０３における第１記憶部１０４のシーケンス・プログラムは、放射性汚染動物の重量別とともに、冷凍・非冷凍別や放射性汚染動物の種別などに基づいて脱水・乾燥の目標値を達成するシーケンス・プログラムを作成し、さらに高精度な脱水・乾燥処理を行うようにしてもよい。
【００３７】
【発明の効果】
以上説明したように、この発明によれば、ラットなど実験済み放射性汚染動物の脱水・乾燥処理を行なうに際し、体液，血液，糞尿などを飛散させず、また放射性汚染動物に対し乾燥効率のよい遠赤外線の放射を行なうことができると共に、放射性汚染動物の重量別に基づいて所望の状態に放射性汚染動物を脱水・乾燥するように目標値を設定でき、且つ、脱水・乾燥動作が一時停止された場合でも残存シーケンス・プログラムに基づく重量状態で脱水・乾燥することができるので、安全性を要求される汚染動物の脱水・乾燥を効率よく使い勝手よく行なうことができる。
【図面の簡単な説明】
【図１】この発明に係る脱水・乾燥装置を示す概略構成図である。
【図２】この発明に係る乾燥室の説明図である。
【図３】この発明におけるシーケンス制御動作を行なうためのブロック図である．
【符号の説明】
１      乾燥室
３      遠赤外線放射体
４      載置台
６      熱交換機
１００  制御手段
１０１  タイマー手段
１０２  入力手段
１０３  メモリ手段
１０４  第１記憶部
１０５  第２記憶部
１０６  演算手段
１０７  駆動指令手段
【図１】
0003864349.tif 000002
【図２】
0003864349.tif 000003
【図３】
0003864349.tif 000004